(57)【要約】【課題】小型化が可能な画像形成装置を提供する。【解決手段】このプリンタ１００の光走査装置１は、前面に受光素子６１を保持する基板６Ｍと、この基板６Ｍを保持する保持部材７と、この保持部材７を基板６Ｍの前面に沿う左右方向にスライド可能に支持するガイド部８を含むハウジング２とを備えている。保持部材７は、基板６Ｍの後面に対面する立上り面部７１と、この立上り面部７１に設けられ、ハウジング２内に上方から差し入れ可能な治具９の下端部９１の前部９１ａに係合する突出部７５とを含んでいる。また、ハウジング２は、突出部７５の後方に設けられて、治具９の下端部９１の中央部９１ｂを当該中央部９１ｂを通る鉛直軸を中心に回転可能に支持するボス部８４を含んでいる。【選択図】図７
2010048955.tif 000002
【特許請求の範囲】
【請求項１】
前面に光学素子を保持する基板と、この基板を保持する保持部材と、この保持部材を前記基板の前面に沿う左右方向にスライド可能に支持するガイド部を含むハウジングとを備えた画像形成装置であって、
前記保持部材は、前記基板の後面に対面する立上り面部と、この立上り面部に設けられ、前記ハウジング内に上方から差し入れ可能な治具の下端部の前部に係合する係合部とを含み、
前記ハウジングは、前記係合部の後方に設けられて、前記治具の下端部の前記前部より後方の部位を鉛直軸を中心に回転可能に支持する支点部を含むことを特徴とする画像形成装置。
【請求項２】
前記治具の下端部は、平板状に形成されており、
前記係合部は、前記立上り面部の中央上部に設けられて、前記基板の後面から離間するように後方に突出する突出部と、この突出部に当該突出部の上端から下方に延びるように形成された前記治具の下端部の厚みよりも大きい幅の第１のスリットとを含み、
前記支点部は、前記ハウジングに立設された平面視で左右方向に長尺なボス部と、このボス部の前記係合部の第１のスリットに前後方向で対応する部分に、当該ボス部の上端から下方に延びるようにボス部を前後に貫通して形成された前記治具の下端部の厚みよりも僅かに大きい幅の第２のスリットとを含むことを特徴とする請求項１に記載の画像形成装置。
【請求項３】
前記基板は、被走査体上に画像を書き込む光走査装置に設けられて、前記光学素子により光を受光することによって前記被走査体上の画像の書出し位置を制御する基板であることを特徴とする請求項１または２に記載の画像形成装置。
【発明の詳細な説明】
【技術分野】
【０００１】
本発明は、プリンタ等の画像形成装置に関する。
【背景技術】
【０００２】
従来、プリンタ等の画像形成装置には、感光体ドラム（被走査体）上に静電潜像（画像）を書き込むための光走査装置（ＬＳＵ：レーザスキャナユニット）が具備されている（特許文献１）。
【０００３】
このような光走査装置では、回転するポリゴンミラーで光源からのレーザ光を反射し、その反射光が感光体ドラム上を走査することによって、当該感光体ドラム上に画像が書き込まれるようになっている。
【０００４】
また、光走査装置は、感光体ドラム上の画像の書出し位置を制御するための基板を有している。この基板には、受光素子が取り付けられている。そして、ポリゴンミラーで反射されたレーザ光の一部が前記受光素子に入射することで、基板において画像書出し信号が生成され、この信号を基に、感光体ドラム上の画像の書出し位置が決定される。
【０００５】
また、前記基板は保持部材に保持されており、保持部材は当該光走査装置のハウジングに設けたガイド部によって基板面に沿う水平方向にスライド可能に支持されている。
【０００６】
そして、光走査装置の組立て作業において、作業者が例えば指や治具で保持部材を挟持して水平方向にスライドさせ、入射光の光路に対する受光素子の配置位置を調整する作業が行われる。これにより、感光体ドラム上の画像の書出し位置が調整される。
【特許文献１】特開２００２−３２８３２１号公報
【発明の開示】
【発明が解決しようとする課題】
【０００７】
しかしながら、上記従来の調整作業では、ハウジング内の保持部材の周囲に、当該保持部材が移動するための移動スペース（調整しろ）以外に、作業者の指等を挿入するためのスペースを確保する必要がある。このため、装置を小型化し難いという問題がある。
【０００８】
本発明は、上記のような課題を解決するためになされたものであり、小型化が可能な画像形成装置を提供することを目的とする。
【課題を解決するための手段】
【０００９】
前記課題を解決するために、本発明は、前面に光学素子を保持する基板と、この基板を保持する保持部材と、この保持部材を前記基板の前面に沿う左右方向にスライド可能に支持するガイド部を含むハウジングとを備えた画像形成装置であって、前記保持部材は、前記基板の後面に対面する立上り面部と、この立上り面部に設けられ、前記ハウジング内に上方から差し入れ可能な治具の下端部の前部に係合する係合部とを含み、前記ハウジングは、前記係合部の後方に設けられて、前記治具の下端部の前記前部より後方の部位を鉛直軸を中心に回転可能に支持する支点部を含むことを特徴とする画像形成装置を提供するものである。
【００１０】
請求項２の発明は、請求項１に記載の画像形成装置において、前記治具の下端部は、平板状に形成されており、前記係合部は、前記立上り面部の中央上部に設けられて、前記基板の後面から離間するように後方に突出する突出部と、この突出部に当該突出部の上端から下方に延びるように形成された前記治具の下端部の厚みよりも大きい幅の第１のスリットとを含み、前記支点部は、前記ハウジングに立設された平面視で左右方向に長尺なボス部と、このボス部の前記係合部の第１のスリットに前後方向で対応する部分に、当該ボス部の上端から下方に延びるようにボス部を前後に貫通して形成された前記治具の下端部の厚みよりも僅かに大きい幅の第２のスリットとを含むことを特徴とするものである。
【００１１】
請求項３の発明は、請求項１または２に記載の画像形成装置において、前記基板は、被走査体上に画像を書き込む光走査装置に設けられて、前記光学素子により光を受光することによって前記被走査体上の画像の書出し位置を制御する基板であることを特徴とするものである。
【発明の効果】
【００１２】
本発明の画像形成装置によれば、ハウジング内に上方から差し入れた治具の下端部の前部を保持部材の係合部に係合させるとともに、当該治具の下端部の例えば中央部を支点部に支持させ、その状態で、下端部が中央部を通る鉛直軸を中心に回転するように治具に力を作用させれば、治具の下端部の前部が当該下端部の中央部を中心に公転し、これによって保持部材をガイド部に沿って左右方向にスライドさせることができる。このことから、従来のように作業者の指等で保持部材を挟持して左右にスライドさせる場合と異なり、ハウジング内の保持部材の周囲に、当該保持部材の移動スペース以外の指等の挿入スペースを設ける必要がないので、その分だけ装置を小型化することができる。
【００１３】
また、請求項２の発明によれば、保持部材の立上り面部に突出部を設け、その突出部に上端から下方に延びるように治具の下端部より幅広の第１のスリットを形成するとともに、ハウジングにボス部を立設し、そのボス部の第１のスリットに前後方向で対応する部分に上端から下方に延びるように治具の下端部より僅かに幅広の第２のスリットを形成したので、治具を上方からハウジング内に差し入れれば、当該治具の平板状の下端部の前部が第１のスリットに上方から嵌入し、それと同時に当該下端部の例えば中央部が第２のスリットに上方から嵌入する。そして、前記嵌入状態で、下端部が中央部を通る鉛直軸回りに回転すれば、当該治具の下端部の前部が保持部材の立上り面部に係合する。
【００１４】
また、第２のスリットが治具の下端部より僅かに幅広に形成されているので、下端部を当該下端部の中央部を通る鉛直軸回りに円滑に回転させることができる。
【００１５】
なお、平板状の下端部を有する治具として、例えばマイナスドライバーを好適に用いることができる。
【００１６】
また、請求項３の発明によれば、光走査装置を小型化することができる。
【発明を実施するための最良の形態】
【００１７】
以下、本発明の実施形態を図面に基づいて説明する。
【００１８】
図１は、本発明の一実施形態によるプリンタの全体構成を示した正面断面図である。また、図２および図３は、図１に示したプリンタの光走査装置の内部構成を示した図である。また、図４および図５は、シアン用ユニットに対応する基板および当該基板を保持する保持部材を示した斜視図である。また、図６は、保持部材の構成を説明するための図である。まず、図１を参照して、本発明の一実施形態によるプリンタ１００の全体構成について説明する。
【００１９】
本実施形態のプリンタ１００は、図１に示すように、装置本体１１内に、画像を形成しその画像を用紙Ｐに転写する画像形成部１２と、用紙Ｐに転写された画像に定着処理を施す定着部１３と、画像形成用の用紙Ｐを貯留する用紙貯留部１４とが設けられるとともに、当該装置本体１１の上部に定着処理後の用紙Ｐを排出するための用紙排出部１５が設けられることによって構成されている。
【００２０】
画像形成部１２は、用紙貯留部１４から給紙された用紙Ｐにトナー像を形成するものであり、本実施形態では、上流側（図１における左側）から下流側（図１における右側）に向けて、マゼンタ用ユニット１２Ｍ、シアン用ユニット１２Ｃ、イエロー用ユニット１２Ｙおよびブラック用ユニット１２Ｋがこの順で配設されている。
【００２１】
そして、各ユニット１２Ｍ，１２Ｃ，１２Ｙ，１２Ｋでは、感光体ドラム１２１の周面に沿うように、当該感光体ドラム１２１の図１における直下位置から時計方向に向けて帯電装置１２２、現像装置１２３、１次転写ローラ１２４およびクリーニング装置１２５が配設されている。また、帯電装置１２２のさらに下方位置には、光走査装置（ＬＳＵ：レーザスキャナユニット）１が配設されている。本実施形態では、２つの光走査装置１が左右に隣接して配設されている。左側の光走査装置１は、マゼンタ用ユニット１２Ｍおよびシアン用ユニット１２Ｃに対応しており、右側の光走査装置１は、イエロー用ユニット１２Ｙおよびブラック用ユニット１２Ｋに対応している。
【００２２】
感光体ドラム１２１の周面は、静電潜像やトナー像を形成するのに適したアモルファスシリコン層となっている。
【００２３】
帯電装置１２２は、コロナ放電によって感光体ドラム１２１の周面に一様な電荷を付与するものである。
【００２４】
光走査装置１は、レーザ光を回転している感光体ドラム１２１の周面に照射し、これによる感光体ドラム１２１周面の電荷の消去によって当該感光体ドラム１２１の周面に静電潜像（画像）を書き込むものである。この光走査装置１は、上面開口の箱型のハウジング２と、このハウジング２の上面を覆うとともに、レーザ光を通過させるための開口部を適所に有するカバー体２ａとを備えている。光走査装置１については、後記に詳述する。
【００２５】
現像装置１２３は、感光体ドラム１２１の周面の静電潜像が形成された部分にトナーを供給することによって、当該周面にトナー像を形成するものである。
【００２６】
また、感光体ドラム１２１の上方位置には、駆動ローラ１２６ａおよび従動ローラ１２６ｂ間に張設された転写ベルト１２６が当該感光体ドラム１２１に当接するように設けられている。この転写ベルト１２６は、各感光体ドラム１２１に対応して設けられた前記１次転写ローラ１２４によって感光体ドラム１２１の周面に押し付けられた状態で各感光体ドラム１２１と同期しながら周回するようになっている。
【００２７】
従って、転写ベルト１２６が周回することにより、当該転写ベルト１２６の表面の同一位置に対してマゼンタ用ユニット１２Ｍ、シアン用ユニット１２Ｃ、イエロー用ユニット１２Ｙおよびブラック用ユニット１２Ｋによるトナー像の転写が順次重ね塗り状態で行なわれ、これによって転写ベルト１２６の表面にカラーのトナー像が形成される。この転写ベルト１２６の表面に形成されたカラーのトナー像が用紙Ｐに転写されることになる。
【００２８】
クリーニング装置１２５は、転写処理後の感光体ドラム１２１の周面に残留しているトナーを取り除いて清浄化するためのものである。このクリーニング装置１２５によって清浄化された感光体ドラム１２１の周面は、次の画像形成処理のために再び帯電装置１２２に向かうことになる。
【００２９】
画像形成部１２の右方位置には、上下方向に延びる用紙搬送路１１１が形成されている。この用紙搬送路１１１には、適所に搬送ローラ対１１２が設けられ、用紙貯留部１４からの用紙Ｐがこの搬送ローラ対１１２の駆動で転写ベルト１２６に向けて搬送されるようになっている。
【００３０】
また、用紙搬送路１１１には、駆動ローラ１２６ａとの対向位置に転写ベルト１２６の表面に当接する２次転写ローラ１１３が設けられ、用紙搬送路１１１を搬送中の用紙Ｐが転写ベルト１２６と２次転写ローラ１１３とに押圧挟持されることによって、転写ベルト１２６上のトナー像が用紙Ｐに転写されるようになっている。
【００３１】
定着部１３は、内部に通電発熱体を備えた加熱ローラ１３１と、この加熱ローラ１３１の右方に配置された定着ローラ１３２と、加熱ローラ１３１および定着ローラ１３２間に張設された定着ベルト１３３と、この定着ベルト１３３を介して定着ローラ１３２と対向配置された加圧ローラ１３４とを備えている。
【００３２】
そして、転写ベルト１２６と２次転写ローラ１１３との間のニップ部を通過することにより転写ベルト１２６のトナー像が転写された状態で定着部１３に供給された用紙Ｐは、加圧ローラ１３４と定着ベルト１３３との間を通過しながら定着ベルト１３３からの熱を得て定着処理が施されるようになっている。
【００３３】
定着処理の完了した用紙Ｐは、定着部１３の上部から延設された排紙搬送路１１４を通って用紙排出部１５の排紙トレイ１５１に向けて排出されることになる。
【００３４】
用紙貯留部１４は、装置本体１１の側壁に開閉自在に設けられた手差しトレイ１４１と、装置本体１１内における光走査装置１より下方位置に挿脱可能に装着された用紙トレイ１４２とを備えて構成されている。
【００３５】
手差しトレイ１４１は、用紙Ｐを１枚ずつ手差し操作で画像形成部１２に向けて給紙するためのものである。
【００３６】
用紙トレイ１４２は、複数枚の用紙Ｐが積層されてなる用紙束Ｐ１を貯留可能に構成されている。この用紙トレイ１４２に貯留された用紙束Ｐ１の最上位の用紙Ｐは、ピックアップローラ１４３の駆動で用紙搬送路１１１に向けて繰り出されるようになっている。そして、繰り出された用紙Ｐは、搬送ローラ対１１２の駆動で用紙搬送路１１１を通って画像形成部１２に向けて送り込まれる。
【００３７】
次に、図１〜図３を参照して、図１における左側の光走査装置１の要部構成について説明する。なお、右側の光走査装置１は左側の光走査装置１とほぼ同一構成であるのでその詳細な説明を省略する。
【００３８】
光走査装置１は、図２に示すように、ポリゴンミラー３と、マゼンタ用ユニット１２Ｍ（図１参照）に対応する発光ダイオード４Ｍおよび光学系５Ｍと、シアン用ユニット１２Ｃ（図１参照）に対応する発光ダイオード４Ｃおよび光学系５Ｃとを備えている。
【００３９】
ポリゴンミラー３は、ハウジング２の中央位置に設けられており、図２において時計回り方向に回転しながら各発光ダイオード４Ｍ，４Ｃからのレーザ光を反射するように構成されている。
【００４０】
発光ダイオード４Ｍは、ポリゴンミラー３の左前方位置に当該ポリゴンミラー３に臨む姿勢で設けられている。また、発光ダイオード４Ｃは、ポリゴンミラー３の右前方位置に当該ポリゴンミラー３に臨む姿勢で設けられている。
【００４１】
また、光学系５Ｍは、発光ダイオード４Ｍから発射されてポリゴンミラー３で反射されたレーザ光を、対応するマゼンタ用ユニット１２Ｍの感光体ドラム１２１の周面に導くためのものであり、ポリゴンミラー３の左方位置に設けられている。また、光学系５Ｃは、発光ダイオード４Ｃから発射されてポリゴンミラー３で反射されたレーザ光を、対応するシアン用ユニット１２Ｃの感光体ドラム１２１の周面に導くためのものであり、ポリゴンミラー３の右方位置に設けられている。
【００４２】
各光学系５Ｍ，５Ｃは、それぞれ、２つのｆθレンズ５１，５２と、３つの反射ミラー５３〜５５とにより構成されている。
【００４３】
そして、各発光ダイオード４Ｍ，４Ｃから後方に向けて発射されてポリゴンミラー３で反射されたレーザ光は、各光学系５Ｍ，５Ｃの一対のｆθレンズ５１，５２を通過した後、各光学系５Ｍ，５Ｃの３つの反射ミラー５３〜５５で順次反射され、各ユニット１２Ｍ，１２Ｃの感光体ドラム１２１の周面に導かれる（図２、図３中の点線参照）。これにより、各ユニット１２Ｍ，１２Ｃの感光体ドラム１２１上に画像が書き込まれる。
【００４４】
また、光走査装置１は、各ユニット１２Ｍ，１２Ｃの感光体ドラム１２１上の画像の書込み開始位置、つまり画像の書出し位置を制御するための基板６Ｍ，６Ｃを備えている。基板６Ｍは、マゼンタ用ユニット１２Ｍに対応しており、ポリゴンミラー３の前方位置に設けられている。基板６Ｃは、シアン用ユニット１２Ｃに対応しており、ポリゴンミラー３の後方位置に設けられている。
【００４５】
各基板６Ｍ，６Ｃには、それぞれ、受光素子（光学素子）６１が設けられている。また、光走査装置１は、ポリゴンミラー３で反射されたレーザ光の一部を受光素子６１に導くための導光ミラー５６、反射ミラー５７およびレンズ５８を備えている。なお、レーザ光を基板６Ｍの受光素子６１に導くための導光ミラーは図示していない。また、基板６Ｍ，６Ｃは、それぞれ、前記受光素子６１が入射光の光路上に位置するように保持部材７に保持されている。
【００４６】
そして、各発光ダイオード４Ｍ，４Ｃから発射されてポリゴンミラー３で反射されたレーザ光の一部は、各光学系５Ｍ，５Ｃの一対のｆθレンズ５１，５２を通過して反射ミラー５３で反射された後、導光ミラー５６および反射ミラー５７で反射され、レンズ５８を通過して各基板６Ｍ，６Ｃの受光素子６１に入射する（図２、図３中の一点鎖線参照）。これにより、各基板６Ｍ，６Ｃにおいて画像書出し信号が生成され、この信号を基に、感光体ドラム１２１上の画像の書出し位置が決定される。
【００４７】
また、保持部材７は、ハウジング２の内底面２１に設けられたガイド部８によって各基板６Ｍ，６Ｃの受光素子６１の取付け面に沿う水平方向にスライド可能に支持されている。また、保持部材７は、後述の治具９（図７参照）の下端部９１と係合可能な形状に形成されている。
【００４８】
そして、本実施形態の光走査装置１では、その組立て作業において、作業者が治具９を用いて各保持部材７を水平方向にスライドさせ、反射光の光路に対する受光素子６１の配置位置を調整し、レーザ光の受光素子６１への入射タイミングを調整する作業が行われる。これにより、各感光体ドラム１２１上の画像の書出し位置が調整される。このように感光体ドラム１２１上の画像の書出し位置を制御することによって、画像ぶれの少ない高品質画像を提供することができる。
【００４９】
また、各保持部材７は、基板６Ｍ，６Ｃの受光素子６１を所望の位置に移動して調整が完了した後は、ハウジング２に対してスライド不能なようにガイド部８によって固定されるようになっている。
【００５０】
以下、図４〜図８を参照して、基板６Ｃを保持する保持部材７の構成、この保持部材７を支持するガイド部８の構成、および、前記保持部材７のスライド方法・固定方法について詳細に説明する。なお、基板６Ｍに関しては基板６Ｃと同じ構成であるので、その詳細な説明を省略する。また、図４〜図８を参照した説明において設定されている方向は、図１〜図３を参照した説明において設定されている方向と異なっている。すなわち、図４〜図８では、＋Ｘ方向を前方、−Ｘ方向を後方、＋Ｙ方向を左方、−Ｙ方向を右方としており、基板６Ｃの受光素子６１の取付け面が当該基板６Ｃの前面６ａとなり、この基板６Ｃの前面６ａに沿う水平方向が左右方向となる。
【００５１】
前記保持部材７は、図４〜図６に示すように、基板６Ｃの後面６ｂ（図５参照）に対面する立上り面部７１と、この立上り面部７１の右端縁に設けられる位置規制部７２と、立上り面部７１の左端縁の下部に設けられて上方に延びる当接部７３と、立上り面部７１の上端縁に設けられる一対の折曲げ部７４と、立上り面部７１の下端縁に設けられる一対の強弾性部７７とを含んでいる。
【００５２】
立上り面部７１の中央上部には、図５および図６（ｂ）に示すように、絞り加工によって基板６Ｃの後面６ｂから離間するように後方に突出する突出部７５が形成されている。また、突出部７５には、その上端から下方に延びるようなスリット（第１のスリット）７５ａが形成されている。このスリット７５ａは、後述の治具９（図７参照）の下端部９１の厚みよりも大きい幅に形成されている。そして、治具９の下端部９１の前部９１ａがスリット７５ａに上方から嵌入されることによって保持部材７と治具９とが係合するようになっている。なお、スリット７５ａを有する突出部７５は、本発明の「係合部」に相当する。
【００５３】
また、立上り面部７１の突出部７５の下方には、図６に示すように、弱弾性部７６が設けられている。この弱弾性部７６は、後方に突出する略くの字形状に形成されており、比較的弱い弾性力を有する構成となっている。この弱弾性部７６は、図８（ａ）に示すように、保持部材７の下部がガイド部８の後述の後面側支持部８１と一対の前面側支持部８２との間に入り込んだ状態では、ガイド部８の後面側支持部８１に当接して弱い力で保持部材７を前方に付勢する。これにより、保持部材７がガイド部８に左右方向にスライド可能に支持される。
【００５４】
位置規制部７２は、当該保持部材７に保持された基板６Ｃの右端位置を規制するものである。この位置規制部７２の下端には、基板６Ｃを当該保持部材７に保持させる際に基板６Ｃのガイドとして機能する誘導部７８が設けられている。
【００５５】
当接部７３は、当該保持部材７に保持された基板６Ｃの左端縁に当接して基板６Ｃを位置規制部７２に押し付けるように右方に付勢する機能を有している。この当接部７３と前記位置規制部７２とで基板６Ｃを左右方向から挟持することによって、基板６Ｃが保持部材７に保持されるようになっている。
【００５６】
折曲げ部７４は、作業者の指等で下方に押圧されることによって、当該保持部材７を下方に移動させてガイド部８にスライド不能に固定させるために設けられている。
【００５７】
強弾性部７７は、立上り面部７１の下端から後斜め上方に延びるように設けられており、比較的強い弾性力を有する構成となっている。この強弾性部７７は、図８（ｂ）に示すように、保持部材７の下部がガイド部８の前後の両支持部８１，８２間に入り込んだ状態では、ガイド部８の後面側支持部８１に当接して強い力で保持部材７を前方に付勢する。これにより、保持部材７がガイド部８にスライド不能に固定される。
【００５８】
前記ガイド部８は、図４に示すように、ハウジング２の内底面２１に立設され、左右方向に延在する壁状の後面側支持部８１と、この後面側支持部８１と前後方向に所定間隔を隔ててかつ左右方向に互いに離間するようにハウジング２の内底面２１に立設される一対の柱状の前面側支持部８２とで構成されている。保持部材７は、これらの後面側支持部８１と一対の前面側支持部８２とに前後から挟み込まれることで支持されている。
【００５９】
後面側支持部８１の上部には、傾斜面８３が設けられている。この傾斜面８３は、保持部材７をガイド部８にスライド可能に支持させるべく差し込む際の誘導面として機能する。また、傾斜面８３は、保持部材７がスライド可能に支持された状態では一対の強弾性部７７の下面に当接することで当該保持部材７の下方への移動を規制するとともに、保持部材７のスライド時には左右方向にガイドする機能を有する。
【００６０】
また、後面側支持部８１の左右の中央位置には、平面視で左右方向に長尺なボス部８４が立設されている。このボス部８４には、その左右方向の略中央の上端から下方に延びるようにスリット（第２のスリット）８４ａが形成されている。スリット８４ａは、上述の保持部材７のスリット７５ａに前後方向で対応するように形成されており、治具９の下端部９１の厚みよりも僅かに大きい幅に形成されている。そして、治具９の下端部９１の中央部９１ｂがスリット８４ａに上方から嵌入されることによって、治具９が中央部９１ｂを通る鉛直軸回りに回動可能なようにボス部８４に支持されるようになっている。また、ボス部８４のうちの治具９の中央部９１ｂに左右方向から臨む部位は、平面視で円弧状に形成されており、これによって治具９の回動が円滑に行われるようになっている。なお、スリット８４ａを有するボス部８４は、本発明の「支点部」に相当する。
【００６１】
そして、本実施形態では、図７に示すように、例えばマイナスドライバーのような下端部９１が板状（へら状）の治具９を用いて前述の調整作業が行われる。すなわち、治具９を上方からハウジング２内に差し入れて、治具９の下端部９１の中央部９１ｂをボス部８４のスリット８４ａに上方から嵌入して当該ボス部８４に支持させるとともに、下端部９１の前部９１ａを突出部７５のスリット７５ａに上方から嵌入して当該突出部７５に係合させる。次に、その状態で、下端部９１が中央部９１ｂを通る鉛直軸回りに回転するように治具９に力を作用させることによって、下端部９１の前部９１ａを当該下端部９１の中央部９１ｂを中心に公転させ（図７の矢印ａ参照）、これによって保持部材７をガイド部８に沿って左右方向にスライドさせる（図７の矢印ｂ参照）。なお、治具９は、マイナスドライバーに限らず平板状先端を有する器具や単なる板材であってもよい。
【００６２】
このようにして位置調整が完了した後、保持部材７の立上り面部７１の下端がガイド部８の底面８６に接触するまで当該保持部材７を押し下げる（図８（ｂ）参照）。これにより、保持部材７の一対の強弾性部７７の各先端が弾性力に抗しながら立上り面部７１に近接する方向に移動し、前記弱弾性部７６の弱い弾性力に加えて一対の強弾性部７７の強い弾性力によって保持部材７がガイド部８にスライド不能に固定される。
【００６３】
本実施形態では、ハウジング２内に上方から差し入れた治具９の下端部９１の前部９１ａを保持部材７の突出部７５に係合させるとともに、当該治具９の下端部９１の中央部９１ｂをボス部８４に支持させ、その状態で、下端部９１が中央部９１ｂを通る鉛直軸を中心に回転するように治具９に力を作用させれば、治具９の下端部９１の前部９１ａが当該下端部９１の中央部９１ｂを中心に公転し、これによって保持部材７をガイド部８に沿って左右方向にスライドさせることができる。このことから、従来のように作業者の指等で保持部材７を挟持して左右にスライドさせる場合と異なり、ハウジング２内の保持部材７の周囲に、当該保持部材９の移動スペース以外の指等の挿入スペースを設ける必要がないので、その分だけ光走査装置１を小型化することができる。
【００６４】
また、本実施形態では、保持部材７の立上り面部７１に突出部７５を設け、その突出部７５に上端から下方に延びるように治具９の下端部９１より幅広のスリット７５ａを形成するとともに、ハウジング２にボス部８４を立設し、そのボス部８４のスリット７５ａに前後方向で対応する部分に上端から下方に延びるように治具９の下端部９１より僅かに幅広のスリット８４ａを形成したので、治具９を上方からハウジング２内に差し入れれば、当該治具９の平板状の下端部９１の前部９１ａがスリット７５ａに上方から嵌入し、それと同時に当該下端部９１の中央部９１ｂがスリット８４ａに上方から嵌入する。そして、前記嵌入状態で、下端部９１が中央部９１ｂを通る鉛直軸回りに回転すれば、当該治具９の下端部９１の前部９１ａが保持部材７の立上り面部７１に係合する。
【００６５】
また、本実施形態では、スリット８４ａが治具９の下端部９１より僅かに幅広に形成されているので、下端部９１を当該下端部９１の中央部９１ｂを通る鉛直軸回りに円滑に回転させることができる。
【００６６】
なお、本実施形態においては、本発明を画像形成装置としてのプリンタ１００に適用する例について示したが、これに限らず、複写機やファクシミリ装置にも本発明を適用可能である。
【００６７】
また、図９に示すように、保持部材１０７の立上り面部７１に凸部（係合部）１７５を設けるとともに、治具１０９の下端部１９１の前部１９１ａに凹部１９１ｃを設け、この凹部１９１ｃと前記凸部１７５とを嵌合させることで両者１０７，１０９を係合させるようにしてもよい。この構成においても、治具１０９を鉛直軸を中心に矢印ａ方向に回転させると、保持部材１０７が矢印ｂに沿う水平方向にスライド移動する。
【００６８】
また、本実施形態では、感光体ドラム１２１上の画像の書出し位置を調整するための受光素子６１の位置を調整する機構に本発明を適用したが、これに限らず、発光素子の位置を調整するための機構にも本発明を適用可能である。
【図面の簡単な説明】
【００６９】
【図１】本発明の一実施形態によるプリンタの全体構成を示した正面断面図である。
【図２】図１に示したプリンタの光走査装置の内部構成を示した平面図である。
【図３】図２中のＩＩＩ−ＩＩＩ線に沿った断面図である。
【図４】シアン用ユニットに対応する基板および当該基板を保持する保持部材を示した斜視図である。
【図５】シアン用ユニットに対応する基板および当該基板を保持する保持部材を示した図４とは異なる方向から見た斜視図である。
【図６】（ａ）は保持部材の斜視図であり、（ｂ）は保持部材の平面図であり、（ｃ）は保持部材の正面図である。
【図７】図４に示した保持部材のスライド動作を説明するための平面図である。
【図８】（ａ）はスライド可能な状態の保持部材および当該保持部材に保持された基板を示した概略断面図であり、（ｂ）はスライド不能な状態の保持部材および当該保持部材に保持された基板を示した概略断面図である。
【図９】変形例による治具と保持部材との係合状態を示した断面図である。
【符号の説明】
【００７０】
１  光走査装置
２  ハウジング
６Ｍ，６Ｃ  基板
６ａ  前面
６ｂ  後面
７  保持部材
８  ガイド部
９  治具
６１  受光素子（光学素子）
７１  立上り面部
７５  突出部（係合部）
７５ａ  スリット（第１のスリット）
８４  ボス部（支点部）
８４ａ  スリット（第２のスリット）
９１  下端部
９１ａ  前部
９１ｂ  中央部（前部より後方の部位）
１００  プリンタ（画像形成装置）
１２１  感光体ドラム（被走査体）
【図１】
2010048955.tif 000003
【図２】
2010048955.tif 000004
【図３】
2010048955.tif 000005
【図４】
2010048955.tif 000006
【図５】
2010048955.tif 000007
【図６】
2010048955.tif 000008
【図７】
2010048955.tif 000009
【図８】
2010048955.tif 000010
【図９】
2010048955.tif 000011